(57)【要約】  【課題】本発明は、カラオケ歌唱時の伴奏音楽の演奏音量を制御するカラオケ装置に関し、マニュアル操作を要さず、歌唱の妨げにもならずに歌唱力向上の支援を行うことを目的とする。  【解決手段】歌唱採点手段２９が歌唱時に入力した歌唱信号に基づいて歌唱区間毎に歌唱採点値を逐一算出し、演奏音量設定手段３０が歌唱された歌唱区間毎に、算出された歌唱採点値と予め設定された閾値とを比較し、当該歌唱区間毎に閾値以上か、閾値未満かを判定して、閾値以上の場合には次の歌唱区間では演奏を無音とさせ、閾値未満の場合には次の歌唱区間では演奏を所定音量とさせる設定を行い、演奏音量制御手段３１が設定に基づいて演奏音量を制御する構成とする。  【選択図】  図２
2010054860.tif 000002
【特許請求の範囲】
【請求項１】
利用者による所定楽曲の歌唱の際に、歌唱区間毎に演奏音量を制御する機能を備えるカラオケ装置であって、
歌唱採点手段、演奏音量設定手段、演奏音量制御手段を有し、
前記歌唱採点手段は、歌唱時に入力した歌唱信号に基づいて歌唱区間毎に歌唱採点値を逐一算出し、
前記演奏音量設定手段は、前記歌唱された歌唱区間毎に、前記算出された歌唱採点値と予め設定された閾値とを比較し、当該歌唱区間毎に閾値以上か、閾値未満かを判定し、前記閾値以上の場合には次の歌唱区間での演奏を無音とさせ、前記閾値未満の場合には次の歌唱区間での演奏を所定音量とさせる設定を行い、
前記演奏音量制御手段は、前記設定に基づいて演奏音量を制御する、
ことを特徴とする演奏音量制御機能を備えるカラオケ装置。
【請求項２】
請求項１記載の演奏音量制御機能を備えるカラオケ装置であって、
さらに、前記歌唱採点値と閾値との比較の度合いに応じた演奏音量を所定段階毎に予め設定した音量レベル設定テーブルを備え、
前記演奏音量設定手段は、前記判定結果が前記閾値未満の場合に、前記音量テーブル設定テーブルを参照して、当該比較の度合いに応じて次の歌唱区間の演奏音量を設定し、
前記演奏音量制御手段は、前記設定された演奏音量を、次の歌唱区間での演奏音量とさせる、
ことを特徴とする演奏音量制御機能を備えるカラオケ装置。
【発明の詳細な説明】
【技術分野】
【０００１】
本発明は、カラオケ歌唱時の伴奏音楽の演奏音量を制御するカラオケ装置に関する。
【背景技術】
【０００２】
カラオケ利用者は歌唱力の向上を望むものであり、歌唱力向上には繰り返しの歌唱の他に音感育成も重要で、音感育成にはいわゆるアカペラ（無伴奏）が効果的であるが、利用者の練習したい楽曲を総てアカペラで歌唱することは困難なことである。また、歌唱曲の中でも得意とする区間や不得意とする区間があることもあり、特に不得意とする区間で伴奏を適度な演奏音量として最終的にアカペラで歌唱できるように練習することが歌唱力向上のために望ましい。
【０００３】
従来、カラオケ装置において歌唱力向上のための機能を備えたものが種々提案されている。例えば、歌唱の際に伴奏音楽の他にガイドメロディーをも出力するもので、歌唱者の音程を判定し、一致度が大きい場合に主旋律のガイドメロディーの音量を大きくし、一致度が小さくなるにつれて主旋律のガイドメロディーの音量を小さくさせることが提案されている（特許文献１）。
【０００４】
【特許文献１】特開平０９−１３４１８１号公報
【発明の開示】
【発明が解決しようとする課題】
【０００５】
しかしながら、上記特許文献で提案されているものは、伴奏音楽の他に歌唱を導く主旋律のガイドメロディーを歌唱音程状態に応じた音量で出力するというものであり、伴奏音楽は常に出力されていることから、音感育成という観点からは歌唱力向上の貢献度が低い。ところで、カラオケ装置には伴奏音楽の音量を調整する演奏ボリウムが設けられており、練習のために伴奏音楽の音量を手動操作で調整することが音感育成に効果的であるが、歌唱時にマニュアル操作でボリウム調整することは非常な手間を要し、特に歌唱者自ら行うことは歌唱そのものに支障を来すという問題がある。
【０００６】
そこで、本発明は上記課題に鑑みなされたもので、マニュアル操作を要さず、歌唱の妨げにもならずに歌唱力向上の支援を行う演奏音量制御機能を備えるカラオケ装置を提供することを目的とする。
【課題を解決するための手段】
【０００７】
上記課題を解決するために、請求項１の発明では、利用者による所定楽曲の歌唱の際に、歌唱区間毎に演奏音量を制御する機能を備えるカラオケ装置であって、歌唱採点手段、演奏音量設定手段、演奏音量制御手段を有し、前記歌唱採点手段は、歌唱時に入力した歌唱信号に基づいて歌唱区間毎に歌唱採点値を逐一算出し、前記演奏音量設定手段は、前記歌唱された歌唱区間毎に、前記算出された歌唱採点値と予め設定された閾値とを比較し、当該歌唱区間毎に閾値以上か、閾値未満かを判定し、前記閾値以上の場合には次の歌唱区間での演奏を無音とさせ、前記閾値未満の場合には次の歌唱区間での演奏を所定音量とさせる設定を行い、前記演奏音量制御手段は、前記設定に基づいて演奏音量を制御する、構成とする。
【０００８】
請求項２の発明では、さらに、歌唱採点値と閾値との比較の度合いに応じた演奏音量を所定段階毎に予め設定した音量レベル設定テーブルを備え、前記演奏音量設定手段は、前記判定結果が前記閾値未満の場合に、前記音量テーブル設定テーブルを参照して、当該比較の度合いに応じて次の歌唱区間の演奏音量を設定し、前記演奏音量制御手段は、前記設定された演奏音量を、次の歌唱区間での演奏音量とさせる、構成である。
【発明の効果】
【０００９】
請求項１の本発明によれば、歌唱時に入力した歌唱信号に基づいて歌唱区間毎に歌唱採点値を逐一算出し、歌唱された歌唱区間毎に、算出された歌唱採点値と予め設定された閾値とを比較し、当該歌唱区間毎に閾値以上か、閾値未満かを判定して、閾値以上の場合には次の歌唱区間では演奏を無音とさせ、閾値未満の場合には次の歌唱区間では演奏を所定音量とさせる設定を行う構成とすることにより、歌唱者の得意な閾値以上の歌唱区間では演奏を無音とさせ、不得意な閾値未満の歌唱区間では演奏を所定音量とさせることが自動で制御されることから、マニュアル操作を要さず、歌唱の妨げにもならずに演奏音量を制御することができ、楽曲全体を最終的にアカペラでの歌唱に導く歌唱力向上の支援を行うことができるものである。
【００１０】
請求項２の発明によれば、歌唱採点値と閾値との比較結果が閾値未満の場合に、歌唱採点値と閾値との比較の度合いに応じた演奏音量を所定段階毎に予め設定した音量レベル設定テーブルを参照して、当該比較結果の度合いに応じて次の歌唱区間の演奏音量を設定し、当該設定された演奏音量を次の歌唱区間での演奏音量とさせる構成とすることにより、演奏が出力される際には歌唱採点値と閾値との比較の度合いの音量とさせることから、演奏音量を歌唱力向上の段階毎に無音に近づけて楽曲全体を最終的にアカペラでの歌唱に導くことができ、さらなる歌唱力向上の支援を行うことができるものである。
【発明を実施するための最良の形態】
【００１１】
以下、本発明の最良の実施形態を図により説明する。
図１に、本発明のカラオケ装置の第１実施形態に係るブロック構成図を示す。図１においてカラオケ装置１１は、主要装置としてのカラオケ本体１２に有線又は無線で外部接続されるものとして、表示部１３、ミキシングアンプ１４、マイク１５、スピーカ１６を備える。また、有線又は無線で遠隔入出力端末１７が接続される。
【００１２】
上記表示部１３は、通常の楽曲選曲表示やカラオケ演奏時の映像、歌詞テロップを表示するもので、例えば液晶ディスプレイ（ＬＣＤ）、プラズマディスプレイ（ＰＤＰ）、その他種々のディスプレイを採用することができる。上記ミキシングアンプ１４は、カラオケ本体１２より送られてくる演奏データとマイク１５からの音声信号をミキシングし、増幅してスピーカ１６より出力する。なお、当該ミキシングアンプ１４には、マイクボリウムと演奏ボリウムの操作ボタンなどが設けられている。
【００１３】
遠隔入出力端末１７は、図示しない端末送受信部により、カラオケ本体１２に対して有線方式ないし無線方式（ＩＲ方式やブルートゥース（登録商標）機構のピコネット接続方式など）を利用してデータ授受を行うためのもので、楽曲検索手段１８及び端末表示部１９を適宜備える。
【００１４】
上記楽曲検索手段１８は、後述するユーザインタフェース機能により利用者に楽曲を検索させ、選曲させるプログラムである。この場合、本実施形態では、例えば選曲時に、予め定めた練習曲を選択させる表示をさせることとするが、総ての歌唱対象の楽曲を練習対象とさせて利用者に練習対象とするか否かを選択させてもよい。上記端末表示部１９は、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有するものである。
【００１５】
上記カラオケ本体１２は、バス２１、中央制御部２２、ＲＯＭ２３、ＲＡＭ２４、記憶部２５、映像再生制御部２６、音楽演奏制御部２７、Ａ／Ｄ変換部２８、歌唱採点手段２９、演奏音量設定手段３０、演奏音量制御手段３１及び送受信部３２を適宜備える。また、上記記憶部２５には、楽曲ＤＢ３３及び映像ＤＢ３４が記憶される。なお、上記各構成について、本発明の要旨と直接関連しない要素部分であっても、従前のカラオケ装置においても大部分が適用可能であることを示すために、装置全体を説明する。
【００１６】
上記中央制御部２２は、このシステムを統括的に処理制御する物理的なＣＰＵであり、ＲＯＭ２３に記憶されているプログラムに基づくアルゴリズム処理を行う。上記ＲＡＭ２４は、上記種々のプログラムを展開、実行させるための作業領域としての役割をなすもので、例えば半導体メモリで構成され、仮想的にハードディスク上に構築される場合をも含む概念である。
【００１７】
上記記憶部２５に記憶されている楽曲ＤＢ３３は、楽曲毎に、音符データ及び歌詞データを格納するもので、本発明では楽曲毎に歌唱区間及び閾値が設定されている。なお、閾値を後述の演奏音量設定手段３０に設定しておいてもよい。ここで、歌唱区間とは、１フレーズ単位、数フレーズ単位若しくは歌詞１文字を含む所定歌詞文字数毎をいい、任意に設定することができる。演奏に関して、具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の音符データ（例えば、ＭＩＤＩ（登録商標）形式の音符データ）及び歌詞データ（歌詞テロップデータ）が同期されて構成される楽曲データ（ファイル）について楽曲コードをファイル名としてそれぞれ格納したデータベースであり、映像ＤＢ３４に格納された当該楽曲毎の背景映像を表示するための所定数のシーン映像を割り当てる割当データが関連付けられる。上記記憶部２５に記憶されている当該映像ＤＢ３４は、背景映像表示のための所定数のシーン映像データを所定数格納するデータベースである。
【００１８】
上記映像再生制御部２６は、演奏時に、映像ＤＢ３４より抽出された所定数のシーン映像データ及び楽曲コードで楽曲ＤＢ３３より抽出された歌詞テロップデータ（歌詞文字データ）を当該楽曲の音符データに同期させて表示部１３に出力する電子回路である。上記音楽演奏制御部２７は、楽曲コードで楽曲ＤＢ３３より抽出された音符データをデジタル再生し、アナログ変換してミキシングアンプ１４に出力する電子回路である。この音楽演奏制御部２７には、上記デジタル再生したデータを、デジタルボリウムを介してアナログデータに変換するコンバータが設けられ、当該デジタルボリウムに対して後述の演奏音量制御手段３１が音量制御を行う。
【００１９】
上記Ａ／Ｄ変換部２８は、マイク１５から入力される歌唱時の歌唱音声をデジタル変換する電子回路である。上記歌唱採点手段２９は、Ａ／Ｄ変換部２８でデジタルデータに変換された歌唱音声に基づき、当該楽曲における例えば所定時間（例えば１０ｍｓｅｃ、２０ｍｓｅｃ・・・）毎に歌唱採点を算出し、歌唱区間内で平均した歌唱採点値とするプログラムである。具体的には、採点テーブルを備え、選択された楽曲元データに基づいて音楽演奏制御部２７でデジタル再生された楽曲の主旋律のピッチ基準条件と、マイク１５より入力されてくる歌唱データをＡ／Ｄ変換部２８でデジタル変換したデジタル歌唱データから抽出した歌唱ピッチとを上記採点テーブルを参照して比較し、これを歌唱区間としての例えば１フレーズ毎に平均することにより採点結果とするものである。
【００２０】
上記演奏音量設定手段３０は、歌唱された歌唱区間毎に、歌唱採点手段２９で算出された歌唱採点値と予め設定された閾値とを比較し、当該歌唱区間毎に閾値以上か、閾値未満かを判定し、閾値以上の場合には次の歌唱区間での演奏を無音とさせ、閾値未満の場合には次の歌唱区間での演奏を所定音量とさせる設定を行うプログラムである（図２で説明する）。ここでは、上記閾値が例えば８０（点）として設定されているものとして説明する。
【００２１】
上記演奏音量制御手段３１は、演奏音量制御手段３０による設定に基づいて、閾値以上の場合には次の歌唱区間では演奏を無音とさせ、閾値未満の場合には次の歌唱区間では演奏を所定音量とさせるべく上記音楽演奏制御部２７のデジタルボリウムを制御するプログラムである（図２で説明する）。
【００２２】
上記送受信部３２は、遠隔入出力端末１７との間で有線方式ないし無線方式（ＩＲ方式やブルートゥース（登録商標）機構のピコネット接続方式など）を利用してデータ授受を行うためのもので、そのための電子回路及びプログラムである。
【００２３】
そこで、図２に、図１のカラオケ装置による演奏音量制御の説明図を示す。図２（Ａ）〜（Ｃ）は歌唱区間毎の演奏音量制御を示し、図２（Ｄ）は歌唱された楽曲全体の演奏音量制御の結果を示したものである。まず、利用者により練習曲としての楽曲が選曲され、又は、選曲した楽曲が練習曲として選択され、当該選曲楽曲が演奏されると、最初の歌唱区間０１では、演奏音量制御手段３１が演奏音量を通常の音量（デフォルト音量）で音楽演奏制御部２７を制御し、この歌唱区間での歌唱を歌唱採点手段２９が採点を行い、歌唱採点値を算出する。
【００２４】
算出された歌唱採点値が、図２（Ａ）に示すように、例えば７５点とすると、演奏音量制御手段３１が、上記のように予め定めた閾値（８０点）より減算し、その結果として当該歌唱採点値が閾値未満であることを判定し、演奏を出力させることの設定を行う。次の歌唱区間０２では、演奏音量制御手段３１が上記設定に基づいて音楽演奏制御部２７に対して通常の音量とさせることを制御する（図２（Ａ））。
【００２５】
歌唱区間０２では、演奏が出力され、歌唱者が当該歌唱区間０２を歌唱したときに、この歌唱区間での歌唱を歌唱採点手段２９が採点を行い、歌唱採点値を算出する。算出された歌唱採点値が、図２（Ｂ）に示すように、例えば８３点とすると、演奏音量設定手段３０が、閾値（８０点）より減算し、その結果として当該歌唱採点値が閾値以上であることを判定し、演奏を無音とさせることの設定を行う。次の歌唱区間０３では、演奏音量制御手段３１が上記設定に基づいて音楽演奏制御部２７に対して無音とさせることを制御する（図２（Ｂ））。
【００２６】
歌唱区間０３では、演奏が出力され、歌唱者が当該歌唱区間０３を歌唱したときに、この歌唱区間での歌唱を歌唱採点手段２９が採点を行い、採点値を算出する。算出された歌唱採点値が、図２（Ｃ）に示すように、例えば９１点とすると、演奏音量設定手段３０が、閾値（８０点）より減算し、その結果として当該歌唱採点値が閾値以上であることを判定し、演奏を無音とさせることの設定を行う。次の歌唱区間０４では、演奏音量制御手段３１が上記設定に基づいて音楽演奏制御部２７に対して無音とさせることを制御する（図２（Ｃ））。
【００２７】
上記のように、歌唱区間毎に、歌唱採点手段２９による歌唱採点値の算出、演奏音量設定手段３０による演奏を出力させるか、無音とさせるかの設定、演奏音量制御手段３１による音楽演奏制御部２７に対する演奏音量の制御が繰り返されるものである（図２（Ｄ））。なお、歌唱区間が短ければ短いほど歌唱者の採点結果がリアルタイムに近い状態で反映されることとなる。
【００２８】
このように、歌唱者の得意な閾値以上の歌唱区間では演奏を無音とさせ、不得意な閾値未満の歌唱区間では演奏を所定音量とさせることが自動で制御されることから、マニュアル操作を要さず、歌唱の妨げにもならずに演奏音量を制御することができ、楽曲全体を最終的にアカペラでの歌唱に導く歌唱力向上の支援を行うことができるものである。
【００２９】
なお、上記実施形態では、楽曲の総ての歌唱区間に対する閾値を一定とさせた場合を示したが、所定数の歌唱区間毎に閾値を変化させることとしてもよい。特に、歌唱の難しい区間が存在する楽曲に対して有効であり、このような楽曲を予め定めておくこととしてもよいものである。このことは、以下の実施形態においても同様である。
【００３０】
次に、図３に本発明のカラオケ装置の第２実施形態に係る一部ブロック構成図を示すと共に、図４に図３の音量レベル設定テーブルの説明図を示す。図３において、カラオケ本体１２の記憶部２５には、音量レベル設定テーブル４１が記憶される。この場合、上記演奏音量設定手段３０は、歌唱採点値と閾値との比較による判定が閾値未満の場合に、当該音量テーブル設定テーブル４１を参照して、当該比較の度合いに応じて次の歌唱区間の演奏音量を設定するものであるが、ここでは、閾値以上の場合をも設定の対象として説明する。
【００３１】
また、上記演奏音量制御手段３１は、演奏音量設定手段３０で設定された演奏音量を次の歌唱区間での演奏音量とさせるべく音楽演奏制御部２７のデジタルボリウムを制御するものである。
【００３２】
上記音量レベル設定テーブル４１は、図４に示すように、歌唱採点値と閾値との比較（［閾値−区間採点値］）の度合いに応じ、当該度合いを所定段階毎の範囲として演奏音量の音量レベルにおける音量減衰率が設定されたものである。ここでは、演算値範囲の度合いを、「負値〜０」から「０」を越えた５段階（全部で６段階）とし、各段階での音量レベルに対応させた音量減衰率を定めたものとしている。
【００３３】
そこで、図５に、第２実施形態に係る演奏音量制御の説明図を示す。図５は、図２と同様に、図５（Ａ）〜（Ｃ）は歌唱区間毎の演奏音量制御を示し、図５（Ｄ）は歌唱された楽曲全体の演奏音量制御の結果を示したものである。上記同様に、利用者により練習曲としての楽曲が選曲され、又は、選曲した楽曲が練習曲として選択され、当該選曲楽曲が演奏されると、最初の歌唱区間０１では、演奏音量制御手段３１が演奏音量を音量レベル５の音量減衰率（０パーセント）の音量（デフォルト音量）で音楽演奏制御部２７を制御し、この歌唱区間での歌唱を歌唱採点手段２９が採点を行い、歌唱採点値を算出する。
【００３４】
算出された歌唱採点値が、図５（Ａ）に示すように、例えば７５点とすると、演奏音量設定手段３０が、予め定めた閾値（８０点）より減算し、その減算値（５）に対して閾値未満と判定し、音量レベル設定テーブル４１を参照して、該当する演算値範囲に応じた無音から最大音量（デフォルト音量値）までの所定段階毎の音量レベル２に対応する音量減衰率（７０パーセント）を設定する。次の歌唱区間０２では、演奏音量制御手段３１が上記設定された音量減衰率（７０パーセント）に基づいて音楽演奏制御部２７に対して当該音量減衰率７０パーセントの演奏音量とさせる制御を行う（図５（Ａ））。
【００３５】
歌唱区間０２では、演奏が７０パーセントの音量減衰率の音量で出力され、歌唱者が当該歌唱区間０２を歌唱したときに、この歌唱区間での歌唱を歌唱採点手段２９が採点を行い、歌唱採点値を算出する。算出された歌唱採点値が、図５（Ｂ）に示すように、例えば８３点とすると、演奏音量設定手段３０が、閾値（８０点）より減算し、その減算値（−３）に対して閾値以上と判定し、音量レベル設定テーブル４１を参照して、該当する演算値範囲に応じた音量レベル０に対応する音量減衰率（１００パーセント）を設定する。次の歌唱区間０２では、演奏音量制御手段３１が上記設定された音量減衰率（１００パーセント）、すなわち無音（ミュート）に基づいて音楽演奏制御部２７に対して当該音量減衰率１００パーセントの無音とさせる制御を行う（図５（Ｂ））。
【００３６】
歌唱区間０３では、演奏が無音状態とされ、歌唱者が当該歌唱区間０３を歌唱したときに、この歌唱区間での歌唱を歌唱採点手段２９が採点を行い、歌唱採点値を算出する。算出された歌唱採点値が、図５（Ｃ）に示すように、例えば９１点とすると、演奏音量設定手段３０が、閾値（８０点）より減算し、その減算値（−１１）に対して閾値以上と判定し、音量レベル設定テーブル４１を参照して、該当する演算値範囲に応じた音量レベル０に対応する音量減衰率（１００パーセント）を設定する。次の歌唱区間０４では、演奏音量制御手段３１が上記設定された音量減衰率（１００パーセント）、すなわち無音（ミュート）に基づいて音楽演奏制御部２７に対して当該音量減衰率１００パーセントの無音とさせる制御を行う（図５（Ｃ））。
【００３７】
上記のように、歌唱区間毎に、歌唱採点手段２９による歌唱採点値の算出、演奏音量設定手段３０による音量減衰率の設定、演奏音量制御手段３１による音楽演奏制御部２７に対する演奏音量の制御が繰り返されるものである（図５（Ｄ））。なお、歌唱区間が短ければ短いほど歌唱者の採点結果がリアルタイムに近い状態で反映されることとなる。
【００３８】
このように、演奏が出力される際には歌唱採点値と閾値との比較の度合いの音量とさせることから、演奏音量を歌唱力向上の段階毎に無音に近づけて楽曲全体を最終的にアカペラでの歌唱に導くことができ、さらなる歌唱力向上の支援を行うことができるものである。
【産業上の利用可能性】
【００３９】
本発明の本発明の演奏音量制御機能を備えるカラオケ装置は、カラオケの基本的機能を備えるカラオケ機器製造の分野に利用可能である。
【図面の簡単な説明】
【００４０】
【図１】本発明のカラオケ装置の第１実施形態に係るブロック構成図である。
【図２】図１のカラオケ装置による演奏音量制御の説明図である。
【図３】本発明のカラオケ装置の第２実施形態に係る一部ブロック構成図である。
【図４】図３の音量レベル設定テーブルの説明図である。
【図５】第２実施形態に係る演奏音量制御の説明図である。
【符号の説明】
【００４１】
１１            カラオケ装置
１２            カラオケ本体
２７            音楽演奏制御部
２９            歌唱採点手段
３０            演奏音量設定手段
３１            演奏音量制御手段
４１            音量レベル設定テーブル
【図１】
2010054860.tif 000003
【図２】
2010054860.tif 000004
【図３】
2010054860.tif 000005
【図４】
2010054860.tif 000006
【図５】
2010054860.tif 000007